(57)【特許請求の範囲】
【請求項１】
遊技機を制御する制御基板を内部に収納する遊技機用の基板ケースであって、前記制御基板の表面及び裏面のうち一方面を覆う第１ケース半体と、他方面を覆う第２ケース半体とを接合して構成され、前記制御基板は、該第１及び第２ケース半体のうち、何れか一方のケース半体の内面に取り付けられており、前記第１及び第２ケース半体のうち、一方のケース半体の内面には、接合状態にて前記制御基板の外周を囲う溝部、他方のケース半体の内面には、接合状態にて前記制御基板の外周を囲うとともに、前記一方のケース半体の前記溝部内に挿入される突出部がそれぞれ形成されており、前記溝部に注入した接着剤により、前記第１ケース半体と第２ケース半体とを互いに接合され、前記第１及び第２ケース半体のうち、前記一方のケース半体は、基板ケースの外部から内部に通じるように形成された１以上の貫通孔を有し、前記他方のケース半体は、該他方のケース半体における他の部分の厚さよりも薄く形成された薄肉部を有し、前記制御基板が収納された状態において、前記貫通孔から侵入させた棒状の部材が前記薄肉部に到達可能となるような領域が形成されること特徴とする基板ケース。
【請求項２】
前記他方のケース半体における前記薄肉部は、少なくとも前記一方のケース半体に形成
された前記貫通孔に対応する位置に形成されていること特徴とする請求項１に記載の基板
ケース。
【請求項３】
前記他方のケース半体における前記薄肉部は、基板ケースの内側方向に半円柱状に形成
された継目部を有していること特徴とする請求項２に記載の基板ケース。
【請求項４】
遊技機を制御する制御基板を内部に収納する遊技機用の基板ケースであって、前記制御基板の表面及び裏面のうち一方面を覆う第１ケース半体と、他方面を覆う第２ケース半体とを接合して構成され、前記制御基板は、該第１及び第２ケース半体のうち、何れか一方のケース半体の内面に取り付けられており、前記第１及び第２ケース半体のうち、一方のケース半体の内面には、接合状態にて前記制御基板の外周を囲う溝部、他方のケース半体の内面には、接合状態にて前記制御基板の外周を囲うとともに、前記一方のケース半体の前記溝部内に挿入される突出部がそれぞれ形成されており、前記溝部に注入した接着剤により、前記第１ケース半体と第２ケース半体とを互いに接合され、前記第１及び第２ケース半体のうち、前記一方のケース半体は、基板ケースの外部から内部に通じるように形成された１以上の貫通孔を有し、前記他方のケース半体は、該他方のケース半体における他の部分の厚さよりも薄く形成された薄肉部を有し、前記他方のケース半体における前記薄肉部は、少なくとも前記一方のケース半体に形成された前記貫通孔に対応する位置に形成されており、前記他方のケース半体における前記薄肉部は、基板ケースの内側方向に半円柱状に形成された継目部を有していること特徴とする基板ケース。
【発明の詳細な説明】
【技術分野】
【０００１】
本発明は、スロットマシンやパチンコ機などの遊技機の制御基板を収容する基板ケースに関する。
【背景技術】
【０００２】
遊技機の制御基板は、遊技機における各種の動作を制御している。そのため、制御基板に不正な改造が施された場合には、不正に出玉を搾取されてしまうなどの被害が発生する恐れがある。そのため、制御基板は、専用の基板ケースに収納された状態で、遊技機の内部に固定されている。
【０００３】
従来の遊技機の基板ケースにはかしめ構造が採用されており、制御基板を遊技機から取り出すためには、かしめ部分を破壊する必要がある。このため、制御基板に対する不正改造の事実を、かしめ部分の破壊痕跡によって発見することができる。
【先行技術文献】
【特許文献】
【０００４】
【特許文献１】特開２０１３−１１６２８号公報
【発明の概要】
【発明が解決しようとする課題】
【０００５】
しかしながら、かしめ部分を破壊することなく基板ケースが開封されてしまった場合には、破壊痕跡が残らないため、制御基板に対する不正改造の事実を発見することが出来ない。
【０００６】
そこで、本発明は、このような事情に鑑みてなされたもので、破壊痕跡を残さずに制御基板が不正改造されることを防止するための、よりセキュリティ性の高い遊技機用の基板ケースを提供することを目的とする。
【課題を解決するための手段】
【０００７】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００８】
本発明の基板ケース（３００）は、遊技機（１）を制御する制御基板（１００Ｂ）を内部に収納する遊技機用の基板ケースであって、制御基板の表面及び裏面のうち一方面を覆う第１ケース半体（３１０、３５０）と、他方面を覆う第２ケース半体（３１０、３５０）とを接合して構成され、制御基板は、該第１及び第２ケース半体のうち、何れか一方のケース半体の内面に取り付けられており、  第１及び第２ケース半体のうち、一方のケース半体の内面には、接合状態にて制御基板の外周を囲う溝部（３１１）、他方のケース半体の内面には、接合状態にて制御基板の外周を囲うとともに、一方のケース半体の溝部内に挿入される突出部（３５１）がそれぞれ形成されており、溝部に注入した接着剤により、第１ケース半体と第２ケース半体とを互いに接合する。
【０００９】
本発明の基板ケースにおいて、一方のケース半体の溝部、及び他方のケース半体の突出部には、接合状態にて互いに係合する係合構造（３１２、３５２）が複数箇所に設けられている。
【００１０】
本発明の基板ケースにおける係合構造は、一方のケース半体の溝部の互いに対向する側壁に形成された第１嵌合部（３１２、３５２）と、他方のケース半体の突出部の表面に形成された第２嵌合部（３１２、３５２）とから構成され、接合状態にて一方のケース半体の第１嵌合部が他方のケース半体の第２嵌合部に嵌合して抜け止め効果を発揮する。
【００１１】
本発明の基板ケースは、一方のケース半体の溝部を挟んで対向する一対の側壁のうち、少なくとも一方の側壁は、該溝部の幅方向に沿う厚さが相対的に厚い厚壁部と、相対的に薄い薄壁部とを備え、少なくとも一方の側壁の薄壁部に対応する位置に、第１嵌合部を備えている。
【００１２】
本発明の基板ケースにおいて、第１及び第２ケース半体のうち、一方のケース半体は、基板ケースの外部から内部に通じるように形成された１以上の貫通孔を有し、他方のケース半体は、他方のケース半体における他の部分の厚さよりも薄く形成された薄肉部（３５５）を有する。
【００１３】
本発明の基板ケースにおける他方のケース半体の薄肉部は、少なくとも一方のケース半体に形成された貫通孔に対応する位置に形成されている。
【００１４】
本発明の基板ケースにおける他方のケース半体の薄肉部は、基板ケースの内側方向に半円柱状に形成された継目部（３５５ａ）を有している。
【発明の効果】
【００１５】
本発明によれば、破壊痕跡を残さずに制御基板が不正改造されることを防止するための、よりセキュリティ性の高い遊技機用の基板ケースを提供することができる。
【図面の簡単な説明】
【００１６】
【図１】本発明の実施形態に係るスロットマシン１の概観を示す斜視図である。
【図２】スロットマシン１の電気的構成を示すブロック図である。
【図３】スロットマシン１が備える制御基板を収納する基板ケースの取り付け位置を示す説明図である。
【図４】スロットマシン１の表示制御基板１００Ｂを格納するための基板ケース３００を示す分解斜視図である。
【図５】（Ａ）は、開口面を手前とする箱部材３１０の斜視図、（Ｂ）は、開口面を真上から見た箱部材３１０の正面図、（Ｃ）は、図５（Ｂ）におけるＡ−Ａ線に沿う断面図である。
【図６】（Ａ）は、箱部材３１０に対する接合方向を手前とする蓋部材３５０の斜視図、（Ｂ）は、箱部材３１０に対する接合方向真上から見た蓋部材３５０の正面図、（Ｃ）は、図６（Ｂ）のＢ−Ｂ線に沿う断面図である。
【図７】箱側凹部３１１と蓋側凸部３５１との係合について説明するための図である。
【図８】（Ａ）は、箱側凹部３１１と蓋側凸部３５１との係合について、より詳細に説明するための図、（Ｂ）は、図８（Ａ）のＣ−Ｃ線に沿う断面図である。
【図９】図８で説明した箱側凹部３１１と蓋側凸部３５１との係合における他の態様を示す図である。
【図１０】（Ａ）は、箱部材３１０に対する接合方向真上から見た場合の、薄肉部３５５と継目部３５５ａとを有する蓋部材３５０の正面図、（Ｂ）は、図１０（Ａ）のＣ−Ｃ線に沿う断面図である。
【発明を実施するための形態】
【００１７】
以下に、本発明に係る遊技機の基板ケースを、実施形態としてスロットマシンを例に説明する。
【００１８】
＜１．遊技機の外観構成＞
図１は、本発明の実施形態に係るスロットマシン１の概観を示す斜視図である。スロットマシン１は、前面が開口した箱状の本体２と本体２の前面に配置した前面扉３から構成されている。前面扉３は、遊技者が遊技を行うためのボタン類を配置した操作部ＯＰ、リール可変表示装置ＲＬが備える各リールＲ１〜Ｒ３の図柄を視認するリール窓２０や遊技の進行に係る情報を表示するための表示器類から構成されている。
【００１９】
操作部ＯＰには、上面にメダル投入口１０とベットボタン１１が配置されている。操作部ＯＰの前面側には、リール可変表示装置ＲＬの各リールＲ１〜Ｒ３の回転の開始を指示するためのスタートレバー１２を配置し、その右側には各リールＲ１〜Ｒ３の回転の停止を指示するためのストップボタン１３ａ〜ｃが配置されている。
【００２０】
スタートレバー１２の左側には、クレジットを精算してメダル受皿４０にメダルを払い出す精算ボタン１４を配置する。パネル表示部ＤＰには、１つのリールにつき３個の連続した図柄をのぞむリール窓２０が設けられている。
【００２１】
また、遊技の結果、入賞ラインＬ１上に役に対応する図柄の組み合わせが成立した場合には役の入賞となり、入賞ライン表示器２１が点滅表示する。リール窓２０の下側には、クレジット数を表示するクレジット数表示器２３ａ、特定の遊技状態におけるメダルの獲得枚数を表示する獲得枚数表示器２３ｂ、及び役が入賞した場合に付与された配当数を表示する配当数表示器２３ｃから構成される遊技価値情報表示部２３を有している。
【００２２】
演出表示部ＴＰには、遊技の進行状態を画像で表示する液晶表示装置３０、遊技の進行状態に応じて色彩や点灯パターンを変化させて表示させる電飾ＬＥＤ３１及びＢＧＭやボタン操作に応じた操作音、ガイド音声を出力するスピーカ３２が配置されている。
【００２３】
受皿部ＢＰには、メダル払出装置が駆動されてメダル払出口４０ａから排出されたメダルを貯めるメダル受皿４０を設けてある。
【００２４】
＜２．スロットマシンの電気的構成＞
図２は、スロットマシン１の電気的構成を示すブロック図である。スロットマシン１は、遊技の主たる制御を行うメイン制御基板１００Ａ、液晶表示器に対して表示制御を行い画像表示する表示制御基板１００Ｂ、パネル表示部ＤＰ又は演出表示部ＴＰや音の演出の制御を行う電飾制御基板１００Ｃを備えている。メイン制御基板１００Ａは、ＣＰＵ（CentralProcessingUnit）１０１、クロック発生回路ａ１０２、クロック発生回路ｂ１０３、ＲＯＭ（Read-Only Memory）１０４、ＲＡＭ（Random-AccessMemory）１０５、データ送出回路１０６、入出力ポート１０７から構成されている。
【００２５】
ＣＰＵ１０１は、ＲＯＭ１０４に格納されたプログラムを、クロック発生回路ａ１０２で発生したＣＬＫ信号のタイミングに基づいて読み出し、逐次に実行する。ＣＰＵ１０１は、電源が投入されるとメインプログラムを実行し、クロック発生回路ａ１０２の周期とは異なるクロック発生回路ｂ１０３で発生されられたＩＮＴＲ信号のタイミングで割込みプログラムを実行する。ＣＰＵ１０１はプログラムの実行に応じて、各種の遊技情報をＲＡＭ１０５に保存する。外部から供給される電源が遮断した場合でも、ＲＡＭ１０５は電池により記憶情報が保持されており、その後電源が復帰した場合には、電源断発生の直前の状態から再開する。ＣＰＵ１０１は、入出力ポート１０７を介して各種ボタン、センサの状態を読み取り、各種モータ、ＬＥＤを駆動する。
【００２６】
ベット操作指示信号１１１ａ〜１１１ｃ、開始操作指示信号１１２、停止操作指示信号１１３ａ〜１１３ｃ及び精算操作指示信号１１４は、それぞれ操作部ＯＰに設けられたベットボタン１１、スタートレバー１２、ストップボタン１３ａ〜１３ｃ、精算ボタン１４ボタンが遊技者に操作されたことに応じて出力される信号であり、入出力ポート１０７を介してＣＰＵ１０１に入力されることで検知される。
【００２７】
表示制御信号１２３ａ〜１２３ｃは、それぞれパネル表示部ＤＰに設けられたクレジット数表示器２３ａ、獲得枚数表示器２３ｂ、配当数表示器２３ｃに表示するための表示信号であり、入出力ポート１０７を介してＣＰＵ１０１より駆動される。リール位置検出信号１５５ａ〜１５５ｃのそれぞれは、リール可変表示装置ＲＬのそれぞれのリールに対応し、リールが１回転するたびに１回検出する信号であり入出力ポート１０７を介してＣＰＵ１０１に入力される。リール駆動信号１５４ａ〜１５４ｃのそれぞれは、リール可変表示装置ＲＬのそれぞれのリールＲ１〜Ｒ３を駆動するステッピングモータ駆動信号であり、入出力ポート１０７を介してＣＰＵ１０１より駆動される。
【００２８】
メダル投入信号１６０は、メダル投入口１０から通ずる前面扉３の内部に設けられたメダル検出装置に設けられたメダル投入センサが、投入されたメダルを検出した場合に出力される信号であり、入出力ポート１０７を介してＣＰＵ１０１に入力される。また、メダルブロック信号１６１はメダル検出装置に設けられたソレノイドを駆動する信号であり入出力ポート１０７を介してＣＰＵ１０１より駆動される。メダル払出信号１６２は、メダル払出装置のメダル放出部に設けられたメダル払出センサが、メダル払出装置により払い出されたメダルを検出した場合に出力される信号であり、入出力ポート１０７を介してＣＰＵ１０１に送られる。また、払出駆動信号１６３はメダル払出装置に設けられたモータを駆動する信号であり、入出力ポート１０７を介してＣＰＵ１０１より駆動される。
【００２９】
ＣＰＵ１０１は、データ送出回路１０６を介して表示制御基板１００Ｂ及び電飾制御基板１００Ｃへ各種コマンドを出力する。電飾制御基板１００Ｃは、メイン制御基板１００Ａより各種コマンドを受信し、入賞ライン表示器２１、遊技ガイド表示器２２、電飾ＬＥＤ３１による電飾装置の点灯制御、リール可変表示装置ＲＬに設けられたバックライト装置５３ａ〜５３ｃの点灯制御及び音声をスピーカ３２から出力する。
【００３０】
表示制御基板１００Ｂは、ＣＰＵ（CentralProcessingUnit）１９１、クロック発生回路ｃ１９２、クロック発生回路ｄ１９３、ＲＯＭ（Read-onlyMemory）１９４、ＲＡＭ（Random-AccessMemory）１９５、データ入力回路１９６及びグラフィックＬＳＩとその周辺回路からなる表示回路１９７を備えている。このＣＰＵ１９１は、ＲＯＭ１９４に格納されたプログラムを、クロック発生回路ｃ１９２で発生したＣＬＫ信号のタイミングに基づいて読み出し、逐次に実行する。ＣＰＵ１９１は、電源が投入されるとメインプログラムを実行し、クロック発生回路ｃ１９２の周期とは異なるクロック発生回路ｂ１９３で発生されられたＩＮＴＲ１信号のタイミングで割込みプログラムを実行する。ＣＰＵ１９１のストローブ信号は、プログラムの実行に応じて、各種の遊技情報をＲＡＭ１９５に保存する。また、メイン制御基板１００Ａのデータ送出回路からのデータ送出タイミングに同期して送出されるストローブ信号に基づいてＩＮＴＲ２信号を発生させ、このＩＮＴＲ２信号のタイミングで割込みプログラムを実行する。
【００３１】
＜３．ゲーム基本処理＞
スロットマシン１は、メダルがベットされていることを条件として、ゲームを開始させることができる。ＣＰＵ１０１は、メダルがベットされている状態で、スタートレバー１２の操作を受け付けると、内部抽選処理とリール回転処理を実行する。  内部抽選処理は、予め定められた複数の役から、１もしくは複数の役の当選または何れの役も当選しないハズレを、抽選により決定するための処理である。
【００３２】
リール回転処理では、ＣＰＵ１０１は、ステッピングモータ５４ａ〜５４ｃのそれぞれに対して継続的にパルスを供給することで、リールＲ１〜Ｒ３のそれぞれを回転させる。ＣＰＵ１０１は、リールＲの回転中にストップボタン１３の操作を受け付けると、リールＲの回転を停止させる。ＣＰＵ１０１は、内部抽選処理により何らかの役の当選が決定されている場合には、当選した役に係る図柄を入賞ラインＬ１上に引き込むように、リールＲを停止させる。
【００３３】
ＣＰＵ１０１は、リールＲ１〜Ｒ３の全てが停止した場合に、入賞判定処理を実行する。ＣＰＵ１０１は、入賞判定処理により役に入賞したと判定した場合に、メダル支払処理等の、入賞した役に応じた処理を実行する。一方で、ＣＰＵ１０１は、入賞判定処理により小役に入賞していないと判定した場合、もしくはメダル支払処理を実行した後に、１回のゲームに係る処理を終了する。
【００３４】
また、表示制御基板１００Ｂは、指示機能を有している。指示機能とは、特別な遊技状態において、ストップボタン１３の操作順序や操作タイミングといった操作態様を遊技者に報知することである。これは、ＣＰＵ１９１が、ＣＰＵ１０１から内部抽選処理の結果を受け付けて、内部抽選処理の結果に基づいて決定されるストップボタン１３の操作態様を、液晶表示装置３０に表示させることで実現される。特別な遊技状態では、報知された操作態様の通りに遊技者がストップボタン１３を操作することで、内部抽選処理により当選した小役等を確実に入賞させることができる。
【００３５】
＜４．基板ケース＞
図３は、スロットマシン１が備える制御基板を収納する基板ケースの取り付け位置を示す説明図である。スロットマシン１は、本体２の奥側の側面に固定された不図示のベース板を備え、メイン制御基板１００Ａを収納したが基板ケースが、ベース板に固定された状態で配置されている。またスロットマシン１は、本体２の内側の側面に固定された不図示のベース板を備え、表示制御基板１００Ｂを収納した基板ケースが、ベース板に固定された状態で配置されている。
【００３６】
以下に、本発明に係る遊技機の基板ケースについて説明する。図４は、スロットマシン１の表示制御基板１００Ｂを格納するための基板ケース３００を示す分解斜視図である。基板ケース３００は、箱状に形成された箱部材３１０と、蓋状に形成された蓋部材３５０とから構成され、表示制御基板１００Ｂをネジ留めして内面に固定した箱部材３１０と、蓋部材３５０とを接合させることで、表示制御基板１００Ｂを内部に収納する構造となっている。
【００３７】
箱部材３１０と蓋部材３５０は、透明なポリカーボネート樹脂で構成されており、箱部材３１０と蓋部材３５０が接合された状態において、箱部材３１０は、表示制御基板１００Ｂの表面側を覆い、蓋部材３５０は、表示制御基板１００Ｂの裏面側を覆い、表示制御基板１００Ｂを基板ケース３００の外部から目視できるようになっている。また、箱部材３１０は、ピン穴を有する２つのかしめ片３２０ａ、３２０ｂを備えており、かしめ片３２０ａ、３２０ｂのそれぞれに対応する不図示のベース板が備える各かしめ片とを重ね合わせた状態で、かしめピンをピン穴に挿入された状態でかしめられて、ベース板に固定される。また、箱部材３１０は、基板ケース３００の内部に収納された表示制御基板１００Ｂと、基板ケース３００の外部の部材とを電気的に接続するハーネス類を貫通させるための開口部３３０ａと開口部３３０ｂを備えている。
【００３８】
図５（Ａ）は、開口面を手前とする箱部材３１０の斜視図である。図５（Ｂ）は、開口面を真上から見た箱部材３１０の正面図である。図５（Ｃ）は、図５（Ｂ）におけるＡ−Ａ線に沿う断面図である。箱部材３１０は、箱部材３１０の内側面から垂直に延伸した後に蓋部材３５０との接合方向に延伸する外側壁３１１ａと内側壁３１１ｂとで凹型に形成された箱側凹部３１１を備えている。
【００３９】
箱側凹部３１１は、箱部材３１０と蓋部材３５０とが接合されて基板ケース３００が表示制御基板１００Ｂを内部に収納したときに、表示制御基板１００Ｂの外周を囲うように一続きに形成されている。
【００４０】
図６（Ａ）は、箱部材３１０に対する接合方向を手前とする蓋部材３５０の斜視図である。図６（Ｂ）は、箱部材３１０に対する接合方向真上から見た蓋部材３５０の正面図である。図６（Ｃ）は、図６（Ｂ）のＢ−Ｂ線に沿う断面図である。蓋部材３５０は、箱部材３１０との内表面の外周内側から箱部材３１０に対する接合方向に延伸されて凸型に形成された蓋側凸部３５１を備えている。
【００４１】
蓋側凸部３５１は、箱側凹部３１１と同様に、箱部材３１０と蓋部材３５０とが接合されて基板ケース３００が表示制御基板１００Ｂを内部に収納したときに、表示制御基板１００Ｂの外周を囲うように一続きに形成されている。
【００４２】
図７は、箱側凹部３１１と蓋側凸部３５１との係合について説明するための図である。箱部材３１０の備える箱側凹部３１１と蓋部材３５０の備える蓋側凸部３５１とが係合することで、箱部材３１０と蓋部材３５０とが接合される。このとき、凹型に形成された箱側凹部３１１の内側に樹脂用の接着剤を注入した状態で、凸型に形成された蓋側凸部３５１を係合させる。接着剤が硬化することで、箱側凹部３１１と蓋側凸部３５１が係合した状態で接着される。これにより、基板ケース３００を破壊しなければ、基板ケース３００の内部に収納された表示制御基板１００Ｂを外部に取り出すことができなくなる
【００４３】
図８（Ａ）は、箱側凹部３１１と蓋側凸部３５１との係合について、より詳細に説明するための図である。図８（Ｂ）は、図８（Ａ）のＣ−Ｃ線に沿う断面図である。箱側凹部３１１は、基板ケース３００が表示制御基板１００Ｂを内部に収納したときに表示制御基板１００Ｂの外周を囲うように一続きに形成されており、箱側凹部３１１の一部に対応する外側壁３１１ａと内側壁３１１ｂには、凹型に形成された箱側凹部３１１の内側の方向にそれぞれ凸部３１２ａと凸部３１２ｂを備える。
【００４４】
また、蓋側凸部３５１は、箱側凹部３１１と同様に、基板ケース３００が表示制御基板１００Ｂを内部に収納したときに表示制御基板１００Ｂの外周を囲うように一続きに形成されており、蓋側凸部３５１の一部であって、箱部材３１０と蓋部材３５０とが接合される際に、先述した外側壁３１１ａの凸部３１２ａと内側壁３１１ｂの凸部３１２ｂとに対応する箇所に、蓋側凸部３５１を貫通する孔として形成された凹部３５２を備える。これにより、箱側凹部３１１と蓋側凸部３５１とを係合させたときに、凸部３１２ａ及び凸部３１２ｂが、それぞれ凹部３５２に嵌合するので、箱側凹部３１１と蓋側凸部３５１との係合の状態が、より強固なものとなる。
【００４５】
また、蓋側凸部３５１の備える凹部３５２を貫通孔として形成したことにより、箱側凹部３１１と蓋側凸部３５１とを係合させたときに、箱側凹部３１１の接着剤が貫通孔の内側に流入するため、箱側凹部３１１と蓋側凸部３５１の外部に接着剤が漏れることを防止できる。
【００４６】
なお、蓋側凸部３５１の幅ｗ１は、凸部３１２ａの先端と凸部３１２ｂの先端との間隔ｗ２よりも大きい。このため、箱側凹部３１１に蓋側凸部３５１を係合する際に、凹型に形成された箱側凹部３１１の外側壁３１１ａと内側壁３１１ｂとが外側に湾曲される。箱側凹部３１１において、凸部３１２ａを備える箇所の近傍における外側壁３１１ａの幅ｗ５の厚さは、凸部３１２ａを備えない箇所の近傍における外側壁３１１ａの幅ｗ３の厚さよりも、薄くなるように形成されている。
【００４７】
また同様に、凸部３１２ｂを備える箇所の近傍における内側壁３１１ｂの幅ｗ６の厚さは、凸部３１２ｂを備えない箇所の近傍における内側壁３１１ｂの幅ｗ４の厚さよりも、薄くなるように形成されている。これにより、凹型に形成された箱側凹部３１１の外側壁３１１ａと内側壁３１１ｂとを、より少ない力で外側に湾曲させることが可能となるため、箱側凹部３１１に蓋側凸部３５１を係合させ易い構造となっている。
【００４８】
＜５．変形例＞
前述の各形態は多様に変形され得る。具体的な変形の態様を以下に例示する。以下の例示から任意に選択された２以上の態様は相互に矛盾しない範囲で適宜に併合され得る。
【００４９】
（１）変形例１
図９は、図８で説明した箱側凹部３１１と蓋側凸部３５１との係合における他の態様を示している。前述した各形態において、蓋側凸部３５１が備える凹部３５２は、蓋側凸部３５１を貫通する孔として形成された構成を例示したが、これに限られない。例えば、図９（Ａ）で示すように、蓋側凸部３５１は、その両側面に、それぞれ凹型に形成された凹部３５２ａと凹部３５２ｂとを備えるようにしてもよい。この場合、箱側凹部３１１と蓋側凸部３５１とが係合するときに、凹部３５２ａが凸部３１２ａに、凹部３５２ｂが凸部３１２ｂにそれぞれ嵌合する。
【００５０】
（２）変形例２
前述した各形態において、蓋側凸部３５１は、その両側面に凹型に形成された凹部３５２ａと凹部３５２ｂとを形成する構成を例示したが、これに限られない。図９（Ｂ）で示すように、蓋側凸部３５１は、その両側面に、それぞれ凸型に形成された凸部３５２ｃと凸部３５２ｄとを備えるようにしてもよい。また、箱側凹部３１１の外側壁３１１ａと内側壁３１１ｂとのそれぞれに、貫通孔として形成された凹部３１２ｃと凹部３１２ｄとを形成してもよい。この場合、箱側凹部３１１と蓋側凸部３５１とが係合するときに、凹部３１２ｃが凸部３５２ｃに凹部３１２ｄが凸部３５２ｄにそれぞれ嵌合する。
【００５１】
（３）変形例３
前述した各形態において、蓋側凸部３５１の両側面に凹部または凸部を備える構成を例示したが、これに限られない。図示は省略するが、例えば、蓋側凸部３５１の一方側のみに凹部または凸部を備え、箱側凹部３１１の対応する箇所の外側壁３１１ａまたは内側壁３１１ｂのいずれか一方側のみに凹部または凸部を備えるようにしてもよい。このように、箱側凹部３１１と蓋側凸部３５１との係合をより強固にするためにそれぞれ形成される形状の形態は、適宜に変形されてよい。
【００５２】
（４）変形例４
前述した各形態において、箱部材３１０が備える箱側凹部３１１、及び蓋部材３５０が備える蓋側凸部３５１のそれぞれは、箱部材３１０と蓋部材３５０とが接合されて基板ケース３００が表示制御基板１００Ｂを内部に収納したときに、表示制御基板１００Ｂの外周を囲うように一続きに形成されている構成を例示したが、これに限られない。例えば、箱部材３１０と蓋部材３５０とが接合されたときに、表示制御基板１００Ｂの外周を囲うような複数の箇所において、箱側凹部３１１及び蓋側凸部３５１とを構成してもよい。
【００５３】
（５）変形例５
前述した各形態において、基板ケース３００を構成する箱部材３１０と蓋部材３５０を、透明なポリカーボネート樹脂とする構成を例示したが、これに限られない。例えば、箱部材３１０と蓋部材３５０を他の材質で構成してもよいし、半透明または不透明の材質で構成してもよい。
【００５４】
（６）変形例６
前述した各形態において、基板ケース３００が表示制御基板１００Ｂを内部に収納するする構成を例示したが、これに限られない。例えば、基板ケース３００が収納する制御基板はメイン制御基板１００Ａであってもよいし、他の制御基板であってもよい。
【００５５】
前述した各形態において、蓋部材３５０は、蓋側凸部３５１が形成されている箇所以外の箇所を、厚さｈ１として形成する構成を例示したが、これに限られない。図１０（Ａ）は、箱部材３１０に対する接合方向真上から見た場合の、薄肉部３５５と継目部３５５ａとを有する蓋部材３５０正面図である。薄肉部３５５は、箱部材３１０との内表面の外周内側に形成された蓋側凸部３５１のさらに内側に、一続きに形成されている。薄肉部３５５は、箱部材３１０と蓋部材３５０が接合された状態において、箱部材３１０が備える不図示の複数の通気孔に対応する位置に形成されている。また、薄肉部３５５は、複数個所に半円柱状に形成された継目部３５５ａを有している。
【００５６】
図１０（Ｂ）は、図１０（Ａ）のＣ−Ｃ線に沿う断面図である。薄肉部３５５は、蓋部材３５０の厚さｈ１よりも薄い厚さｈ２で形成されている。また、半円柱状の継目部３５５ａの頂点付近は、蓋部材３５０の厚さｈ１と略同一の厚さで形成されている。これにより、箱部材３１０の外側から、棒状の部材を箱部材３１０の通気孔に侵入させて蓋部材３５０を内側から押圧することで、蓋部材３５０を基板ケース３００から剥離させようとした場合に、箱側凹部３１１と蓋側凸部３５１との係合により接合された箱部材３１０と蓋部材３５０が剥離するよりも弱い力で棒状の部材が薄肉部３５５を破壊して貫通してしまうために、基板ケース３００から蓋部材３５０を剥離させることが出来ない。
【００５７】
薄肉部３５５が複数の継目部３５５ａを有するのは、蓋部材３５０を型成形するための金型に、一定間隔で樹脂の流れを良化させるためのバイパス経路を設けているためである。本発明において、継目部３５５ａは半円柱状に形成されている。これにより、継目部３５５ａを押圧するように棒状の部材を通気孔から侵入させた場合であっても、棒状の部材が継目部３５５ａを滑落して薄肉部３５５に到達するため、棒状の部材は薄肉部３５５を破壊して貫通するため、やはり基板ケース３００から蓋部材３５０を剥離させることが出来ない。
【００５８】
なお、蓋部材３５０における薄肉部３５５を、箱部材３１０と蓋部材３５０が接合された状態において、箱部材３１０が備える孔に対応していない位置に形成してもよい。この場合、箱側凹部３１１と蓋側凸部３５１における接着剤による接着力よりも弱い力で、箱部材３１０の孔から侵入させた棒状の部材が蓋部材３５０の一部を破壊するような位置に、蓋部材３５０における薄肉部３５５を形成すればよい。これにより、箱部材３１０の孔から侵入させた棒状の部材が蓋部材３５０の一部を破壊することで基板ケース３００が開封された場合であっても、破壊痕跡が残るため、制御基板に対する不正行為を容易に発見することができる。
【符号の説明】
【００５９】
１……スロットマシン、１２……スタートレバー、１３ａ〜１３ｃ……ストップボタン、Ｒ１〜Ｒ３……リール、１００Ａ……メイン制御基板、１００Ｂ……表示制御基板、３００……基板ケース、３１０……箱部材、３１１……箱側凹部、３１１ａ……外側壁、３１１ｂ……内側壁、３１２ａ、３１２ｂ……凸部、３２０ａ、３２０ｂ……かしめ片、３５０……蓋部材、３５１……蓋側凸部、３５２……凹部、３５２ａ、３５２ｂ……凹部、３５２ｃ、３５２ｄ……凸部。
【図１】
0005961830.tif 000002
【図２】
0005961830.tif 000003
【図３】
0005961830.tif 000004
【図４】
0005961830.tif 000005
【図５】
0005961830.tif 000006
【図６】
0005961830.tif 000007
【図７】
0005961830.tif 000008
【図８】
0005961830.tif 000009
【図９】
0005961830.tif 000010
【図１０】
0005961830.tif 000011